(57)【特許請求の範囲】
【請求項１】
前面の開口した収納キャビネットと、収納キャビネット内に設けたラック体と、ラック体を上記収納キャビネットから出し入れ昇降自在に支持する昇降支持装置と、前記収納キャビネットの前面を覆う扉体より成り、前記扉体は少なくとも２つの部材により構成され、第１の部材は前記ラック体の昇降に連動して開閉する開閉部材であり、第２の部材は前記ラック体に取り付けて収納キャビネットの開口横幅寸法より短尺な操作部材とした昇降式収納装置。
【請求項２】
開閉部材を収納キャビネットの前面と同じ横幅寸法とし、上記開閉部材の下部左右端部のいずれか、あるいは両方を下方に延長して収納キャビネットの開口横幅寸法より操作部材を短尺にしたことで生じた収納キャビネットの前面の横幅寸法における不足部分を覆う構成とした請求項１記載の昇降式収納装置。
【請求項３】
開閉部材を収納キャビネットの前面と同じ横幅寸法とし、操作部材の左右のいずれか、あるいは両方に第３の部材を配設し収納キャビネットの前面の左右のいずれか、あるいは両方に固定し、上記第３の部材で収納キャビネットの前面の操作部材を収納キャビネットの開口横幅寸法より短尺にしたことで生じた横幅寸法における不足部分を覆う構成とした請求項１記載の昇降式収納装置。
【請求項４】
開閉部材と操作部材の両方を収納キャビネットの開口横幅寸法より短尺として、開閉部材及び操作部材の左右のいずれか、あるいは両方に第３の部材を配設し収納キャビネットの前面の左右のいずれか、あるいは両方に取付け、上記第３の部材で収納キャビネットの前面の操作部材と開閉部材の両方を収納キャビネットの開口横幅寸法より短尺にしたことで生じた横幅寸法における不足部分を覆う構成とした請求項１記載の昇降式収納装置。
【発明の詳細な説明】
【０００１】
【発明の属する技術分野】
本発明は、収納吊り戸棚のような高所への収納物の出し入れを容易とする昇降式収納装置に関するものである。
【０００２】
【従来の技術】
従来のこの種の昇降式収納装置は特開平１０−２８６１３１号公報に記載されているようなものがあった。この装置は収納キャビネットと、収納キャビネット内に設けたラック体と、ラック体を出し入れ昇降自在に支持する昇降支持装置と、前記収納キャビネットにヒンジで枢支し、前記ラック体の昇降と連動して開閉する開閉部材と、ラック体の昇降操作を行なう把手を有する操作部材で構成したものである。
【０００３】
【発明が解決しようとする課題】
しかしながら上記従来の昇降式収納装置では、ラック体の昇降操作を行なう把手を有する操作部材は、収納キャビネットの横幅寸法に近似しているため、把手を操作して行なう昇降動作の操作中に水平方向の操作力が作用してラック体が横振れを起こすこと、袖壁に隣接設置した場合は壁面や見切り桟、ドア枠などに操作部材が干渉するという課題を有していた。またラック体を垂直方向に精度良く回動支持することは昇降支持装置のリンク機構の剛性や構成部品の精度等から本来的に難しさがあり、ラック体への収納物の偏りという避けられない問題もあって特に昇降中のラック体の横振れは避け難い課題であった。したがって上記従来の昇降式収納装置は壁際設置の制限や昇降式収納装置同士を並べて隣接設置した場合の２台以上の同時使用の制限など、設置プランニング性や使い勝手にも課題も有していた。
【０００４】
【課題を解決するための手段】
本発明は上記課題を解決するため、収納キャビネットの前面を覆う扉体は少なくとも２つの部材により構成し、第１の部材は前記ラック体の昇降に連動して開閉する開閉部材とし、第２の部材は前記ラック体に取り付けて収納キャビネットの開口横幅寸法より短尺な操作部材としている。
【０００５】
上記発明によれば、ラック体とともに昇降する操作部材の外側面と収納キャビネットの外側面との間の間隔が広く構成されることになる。したがってこのラック体の昇降操作中に発生する操作部材の横振れや昇降支持装置のリンク機構の剛性や構成部品精度からくる操作部材の横振れ、更にラック体への収納物の偏りからくる操作部材の横振れ寸法を吸収するので、袖壁に隣接設置した場合でも壁面や見切り桟、ドア枠への操作部材の干渉が回避できる。また壁際設置の制限を受けることもなく昇降式収納装置同士を並べて隣接設置しても２台以上の同時使用が可能になり設置プランニングや使い勝手の良い昇降支持装置を提供することができる。
【０００６】
【発明の実施の形態】
本発明の請求項１における昇降収納装置は、前面の開口した収納キャビネットと、収納キャビネット内に設けたラック体と、ラック体を上記収納キャビネットから出し入れ昇降自在に支持する昇降支持装置と、前記収納キャビネットの前面を覆う扉体より成り、前記扉体は少なくとも２つの部材により構成し、第１の部材は前記ラック体の昇降に連動して開閉する開閉部材とし、第２の部材は前記ラック体に取り付けて収納キャビネットの開口横幅寸法より短尺な操作部材としているので、昇降操作を行なう操作部材の外側面と収納キャビネットの外側面との間隔が広く構成されることになる。したがってラック体の昇降操作中に発生する操作部材の横振れや昇降支持装置のリンク機構の剛性や構成部品精度からくる操作部材の横振れや、更にラック体への収納物の偏りからくる操作部材の横振れ寸法を吸収するので、袖壁に隣接設置した場合でも壁面や見切り桟、ドア枠への操作部材の干渉が回避できる。また壁際設置の制限を受けることもなく昇降式収納装置同士を並べて隣接設置しても２台以上の昇降支持装置の同時使用が可能になり、設置プランニング性や使い勝手の良い昇降支持装置を提供することができる。
【０００７】
また、本発明の請求項２における昇降収納装置は、開閉部材を収納キャビネットの前面と同じ横幅寸法とし、上記開閉部材の下部左右端部のいずれか、あるいは両方を下方に延長して収納キャビネットの開口横幅寸法より操作部材を短尺にしたことで生じた収納キャビネットの前面の横幅寸法における不足部分を覆う構成としているので、扉体が収納キャビネットの前面を覆う一体感のあるもので構成されることとなり、意匠性よく収納キャビネット庫内に塵埃等が侵入し難い昇降支持装置を提供することができる。
【０００８】
また、本発明の請求項３における昇降収納装置は、開閉部材を収納キャビネットの前面と同じ横幅寸法とし、操作部材の左右のいずれか、あるいは両方に第３の部材を配設し収納キャビネットの前面の左右のいずれか、あるいは両方に固定し、上記第３の部材で収納キャビネットの前面の操作部材を収納キャビネットの開口横幅寸法より短尺にしたことで生じた横幅寸法における不足部分を覆う構成としているので、扉体が収納キャビネットの前面を覆う一体感のあるもので構成されることとなり、意匠性よく収納キャビネット庫内に塵埃等が侵入し難いものにできる。さらに開閉部材は高さ寸法が第３の扉体の高さ寸法分、回動半径が短くなるので袖壁に隣接設置した場合でも見切り桟やドア枠などに開閉部材が干渉するというケースが減少して設置プランニング性も改善することができる。
【０００９】
また、本発明の請求項４における昇降収納装置は、開閉部材と操作部材の両方を収納キャビネットの開口横幅寸法より短尺として、開閉部材及び操作部材の左右のいずれか、あるいは両方に第３の部材を配設し収納キャビネットの前面の左右のいずれか、あるいは両方に取付け、上記第３の部材で収納キャビネットの前面の操作部材と開閉部材の両方を収納キャビネットの開口横幅寸法より短尺にしたことで生じた横幅寸法における不足部分を覆う構成としているので、扉体が収納キャビネットの前面を覆う一体感のあるもので構成されることとなり、意匠性よく収納キャビネット庫内に塵埃等が侵入し難いものにできる。さらに開閉部材は操作部材と同じく収納キャビネット開口横幅寸法より短尺としているので、袖壁に隣接設置した場合でも壁面や見切り桟、ドア枠などに開閉部材が干渉するというケースが全くなくなり壁際設置の制限を受けることもなく設置プランニング性を最も改善することができる。
【００１０】
【実施例】
以下、本発明の実施例について図面を用いて説明する。
【００１１】
（実施例１）
図１は本発明の実施例１の昇降式収納装置の開成状態を示す外観斜視図である。また図２は同実施例のラック体最降下時における縦断面図、図３は同実施例の昇降式収納装置の閉成状態を示す外観斜視図である。
【００１２】
図１から図３において、Ａは昇降式収納装置であり、台所などの壁面上部に設置されている。１はその収納キャビネットで、収納キャビネット１の庫内下部左右両側面には平行リンク装置２と、この平行リンク装置２を支持する筐体３からなる昇降支持装置４が左右一対配設されている。平行リンク装置２の上アーム５には筐体３との隙間を埋めて筐体３に摺動する突起状のスライダー６が嵌着固定されている。昇降支持装置４は後述するラック体の出し入れを助成するばねやダンパーなどで構成される昇降補助手段（図示せず）を内蔵している。
【００１３】
平行リンク２の遊端部には収納物を収納するラック体７が連結されている。ラック体７前面下部には収納キャビネット１の前面を覆う扉体のうち第２の部材である操作パネル９が配設され、これにはラック体７を昇降操作する把手８が設けてある。またラック体７の中段には線材からなる網棚１０、前面上部にはラック体７左右の側板１１を連結補強するラック補強材１９をそれぞれ配設している。このラック補強材１９はラック体７の昇降途中において、収納キャビネット１の前面を覆う扉体のうち第１の部材であるフラップ扉１３と干渉しないように、また網棚１０の前方立上りの上端部１０ａとの間隔を拡大するために、左右を連結する水平部分をラック体７の上面から突出させ、且つ斜め後方上部に位置させている。操作パネル９の横幅寸法はフラップ扉１３の横幅寸法より小さくしてあり、収納キャビネット１の開口横幅寸法とラック体７の横幅寸法の寸法差の略中間に設定している。
【００１４】
１４はフラップ扉１３の左右下端を下方に延長した突起部であり、操作パネル９の横幅寸法を短尺にすることにより出現する不足部分を充当している。
【００１５】
１５はヒンジで、フラップ扉１３を収納キャビネット１の天板に回動自在に連結している。１６はフラップ扉１３下端に配設したローラー掛け具で、収納キャビネット１の側内面とラック体７の側外面との隙間に納まるよう左右一対に配設している。ローラー掛け具１６はラック体７の降下途中にラック体７上端後部に一端を枢支し他端にラック体７前面より僅かに突出する位置に来るローラー１７を有する扉ステー１８と係合して、ラック体７が降下した時にラック体７とフラップ扉１３下端との間隔を確保するようにしている。１９はラック体７左右の側板前方上端を連結補強するラック補強材である。
【００１６】
なお、操作パネル９は左右共夫々短尺に構成したが必要に応じ片方だけにしても良い。また、フラップ扉１３の突起部１４も、必要に応じ片方だけにしても良い。
【００１７】
次に動作、作用について説明すると、把手８を手前に引くとラック体７に遊端側を連結した平行リンク２が昇降支持装置４の筐体３側の枢支軸を中心に回動し、ラック体７が姿勢を保った状態で降下する。この時ラック体７上端後部に一端を枢支した扉ステー１８の他端ローラー１７がフラップ上扉１３を押し開くこととなり、ラック体７の降下が進むとローラー１７はフラップ扉１３内面のローラー掛け具１６に係止すると同時に扉ステー１８はラック体７上端後部の枢支軸で上方へ回動し、ラック体７が最下端まで降下した時ラック体７とフラップ扉１３の下端との間隔を広く確保する。
【００１８】
ラック体７の降下途中において、平行リンク装置２の上アーム５に嵌着固定した突起状のスライダー６が筐体３と摺動することから外れると、把手８に横方向の操作力が加わった時平行リンク装置２の遊端の横振れが大きくなる。そのため、ラック体７前面下部に設けた操作パネル９も同じく横振れするが、操作パネル９の横幅寸法は収納キャビネット１の開口横幅寸法とラック体７の横幅寸法の中間に設定して短尺にしているため、袖壁際に設置された場合においても操作パネル９が袖壁壁面に干渉したり見切り桟やドア枠等へ干渉することがない。また、ラック体７を上昇させるときは左右の平行リンク装置２の上アーム５に嵌着固定した突起状のスライダー６が、やがて昇降支持装置４の筐体３に摺動してラック体７を収納キャビネット１内に片寄りなく案内することになるので、操作パネル９がフラップ扉１３の左右下端の突起部１４に干渉することなく納まる。
【００１９】
（実施例２）
図４は本発明の実施例２の昇降式収納装置の開成状態を示す外観斜視図である。また図５は同実施例の昇降式収納装置の閉成状態を示す外観斜視図である。
【００２０】
実施例１と異なる点は、操作パネル９の横幅寸法を短尺にすることにより収納キャビネット１開口の左右下方両方に発生する不足部分に、扉体の第３の部材としての飾りパネル１９を充当して配設固定し、収納キャビネット１の前面を覆う構成としている点である。
【００２１】
なお、実施例１と同一符号のものは同一構造を有し、説明は省略する。
【００２２】
次に動作、作用を説明すると、操作パネル９の横幅寸法を短尺にすることにより発生する不足部分に飾りパネル１９を配設固定し、収納キャビネット１の前面を覆っているので、扉体が収納キャビネット１の前面を覆う一体感のあるもので構成されることとなり、実施例１と同じく意匠性よく収納キャビネット１庫内に塵埃等が侵入し難いものにできると共に、さらにフラップ扉１３の高さ寸法が飾りパネル１９の高さ寸法分短くなり、それにともなって回動半径も短くなるので、袖壁に隣接設置した場合でも見切り桟やドア枠などにフラップ扉１３が干渉するというケースが減少して設置プランニング性も改善することができる効果が有る。
【００２３】
なお、操作パネル９は左右共夫々短尺に構成したが必要に応じ片方だけにしても良い。また、飾りパネル１９も必要に応じ片方だけにしても良い。
【００２４】
（実施例３）
図６は本発明の実施例３の昇降式収納装置の開成状態を示す外観斜視図である。また図７は同実施例の昇降式収納装置の閉成状態を示す外観斜視図である。
【００２５】
実施例１および実施例２と異なる点は、操作パネル９とフラップ扉１３の横幅寸法を共に収納キャビネット１の開口横幅寸法より短尺とし、その短尺として不足した部分を扉体の第３の部材であるフィラーパネル２０を充当して収納キャビネット１前面左右に配設固定し、収納キャビネット１の前面を覆うようにしたものである。
【００２６】
なお、実施例１と同一符号のものは同一構造を有し、説明は省略する。
【００２７】
次に動作、作用を説明すると、操作パネル９とフラップ扉１３の横幅寸法を共に収納キャビネット１の開口横幅寸法より短尺とし、その短尺として不足した部分を第３の部材であるフィラーパネル２０を充当して収納キャビネット１前面左右に配設固定したことにより、収納キャビネット１の前面を覆う扉体は一体感のあるもので構成されることとなり、意匠性よく収納キャビネット庫内に塵埃等が侵入し難いものにできる。さらにフラップ扉１３も操作パネル９と同じく収納キャビネット１開口横幅寸法より短尺としているので、袖壁に隣接設置した場合でも壁面や見切り桟、ドア枠などにフラップ扉１３が干渉するということが全くなくなり、壁際設置の制限を全く受けることなく設置プランニング性の最も良いものを提供することができるという効果が有る。
【００２８】
なお、フィラーパネル２０は収納キャビネット１前面左右に固定したが、ヒンジなどで開閉自在に構成してもよい。そしてヒンジなどで開閉自在に構成することにより、ばねやダンパーなどで構成される昇降補助手段を内蔵した昇降支持装置４の点検や収納キャビネット１庫内の清掃作業等、収納キャビネット１の開口を広くしたい時にフィラーパネル２０を簡単に収納キャビネット１の前面開口から待避させることができる、作業性を確保することができるものとなる。
【００２９】
【発明の効果】
以上説明したように本発明によれば、ラック体の昇降操作中に発生する操作部材の横振れや、昇降支持装置のリンク機構の剛性や構成部品精度からくる操作部材の横振れや、更にラック体への収納物の偏りからくる操作部材の横振れ寸法を吸収することができるので、袖壁に隣接設置した場合でも壁面や見切り桟、ドア枠への操作部材の干渉が回避できる。また壁際設置の制限を受けることもなくなり、昇降式収納装置同士を並べて隣接設置しても２台以上の同時使用が可能になる等、設置プランニングや使い勝手の良い昇降支持装置を提供することができる。
【図面の簡単な説明】
【図１】本発明の実施例１の昇降式収納装置の開成状態を示す外観斜視図
【図２】同昇降式収納装置のラック体が降下下端状態を示す縦断面図
【図３】同昇降式収納装置の閉成状態を示す外観斜視図
【図４】本発明の実施例２の昇降式収納装置の開成状態を示す外観斜視図
【図５】同昇降式収納装置の閉成状態を示す外観斜視図
【図６】本発明の実施例３の昇降式収納装置の開成状態を示す外観斜視図
【図７】同昇降式収納装置の閉成状態を示す外観斜視図
【符号の説明】
１  収納キャビネット
４  昇降支持装置
５  ラック体
８  把手
９  操作パネル（第２の部＝操作部材）
１２  ラック補強材
１３  フラップ扉（第１の部材＝開閉部材）
１４  突起部
２０  飾りパネル
２１  フィラーパネル
【図１】
0004433537.tif 000002
【図２】
0004433537.tif 000003
【図３】
0004433537.tif 000004
【図４】
0004433537.tif 000005
【図５】
0004433537.tif 000006
【図６】
0004433537.tif 000007
【図７】
0004433537.tif 000008